(57)【要約】【課題】  独立型の発光装置における消費電力を低減させる。【解決手段】  電力を発電するための発電手段と、該発電手段において発電された電力を利用して照明を行う照明手段４１とを備える発光装置であって、上記照明手段４１から射出される上記光を受光するとともに蓄光塗料が塗布された発光板４２と、上記照明手段４１の点灯・消灯を制御する制御手段とを備える。【選択図】          図３
2006331946.tif 000002
【特許請求の範囲】
【請求項１】
電力を発電するための発電手段と、該発電手段において発電された電力を利用して照明を行う照明手段とを備える発光装置であって、
前記照明手段から射出される前記光を受光するとともに蓄光塗料が塗布された発光板と、
前記照明手段の点灯・消灯を制御する手段と
を備えることを特徴とする発光装置。
【請求項２】
前記照明手段から射出される前記光あるいは前記発光板から射出される光が照射されることによって表示を行う表示手段を備えることを特徴とする請求項１記載の発光装置。
【請求項３】
前記発光板の光射出面が散乱面とされていることを特徴とする請求項１または２記載の発光装置。
【請求項４】
前記発電手段として、風力によって発電を行う風力発電装置あるいは／及び太陽光によって発電を行う太陽光発電モジュールを備えることを特徴とする請求項１〜３いずれかに記載の発光装置。
【請求項５】
前記発電手段において発電された電力を一時的に蓄電するバッテリを備え、前記制御手段は、前記バッテリの電圧に応じて前記照明手段の点灯時間を変化させることを特徴とする請求項１〜４いずれかに記載の発光装置。
【発明の詳細な説明】
【技術分野】
【０００１】
本発明は、発光装置に関するものである。
【背景技術】
【０００２】
近年、自らが備える太陽光発電モジュールや風力発電装置等の発電装置によって発電した電力を光に変換して射出する照明装置が提案されている（特許文献１〜３参照）。
このような照明装置によれば、自らが発電した電力を光に変換しているため、商業用電源等の外部の電源を必要としない独立型の照明装置として利用することができる。また、このような照明装置においては、クリーンな自然エネルギーを利用して発電を行うため、環境に優しい未来型の照明装置として期待が寄せられている。
【特許文献１】特開２００３−３４６５２１号公報
【特許文献２】特開平８−１３８４２２号公報
【特許文献３】特開２００３−４２０５２号公報
【発明の開示】
【発明が解決しようとする課題】
【０００３】
しかしながら、周知のように、上述のようなクリーンな自然エネルギーを利用した発電は、発電効率が高いとは言えず、現状においては、長時間、高輝度な光を射出することは困難である。
今後、技術の進歩によって、太陽光や風を利用した発電の発電効率は向上するであろうが、現状においては消費電力を低減させる必要があり、このような技術の開発が望まれている。
【０００４】
本発明は、上述する問題点に鑑みてなされたもので、独立型の発光装置における消費電力を低減させることを目的とする。
【課題を解決するための手段】
【０００５】
上記目的を達成するために、本発明の発光装置では、第１の手段として、電力を発電するための発電手段と、該発電手段において発電された電力を利用して照明を行う照明手段とを備える発光装置であって、上記照明手段から射出される上記光を受光するとともに蓄光塗料が塗布された発光板と、上記照明手段の点灯・消灯を制御する手段とを備えるという構成を採用する。
このような構成を採用する本発明の発光装置によれば、照明手段から射出される光を受光する発光板が配置されており、この発光板には蓄光塗料が塗布されている。このため、制御手段によって照明手段を消灯した場合に、蓄光塗料に蓄光された光が射出される。よって、照明手段が消灯された場合、すなわち電力を消費しない状態においても、発光装置から光が射出される。
【０００６】
また、第２の手段として、上記第１の手段において、上記照明手段から射出される上記光あるいは上記発光板から射出される光が照射されることによって表示を行う表示手段を備えるという構成を採用する。
このような構成を採用することによって、照明手段から射出される光あるいは発光板から射出される光が照射されることで、表示手段において表示がなされる。よって、照明手段が消灯された場合、すなわち電力を消費しない状態においても、表示手段において表示がなされる。
【０００７】
また、第３の手段として、上記第１または第２の手段において、上記発光板の光射出面が散乱面とされているという構成を採用する。
このような構成を採用することによって、発光板から射出される光の照度分布が均一化される。
【０００８】
また、第４の手段として、上記第１〜第３いずれかの手段において、上記発電手段として、風力によって発電を行う風力発電装置あるいは／及び太陽光によって発電を行う太陽光発電モジュールを備えるという構成を採用する。
このような構成を採用することによって、風力発電装置あるいは／及び太陽光発電モジュールにおいて発電された電力が利用されて照明が行われる。
【０００９】
第５の手段として、上記第１〜第４いずれかの手段において、上記発電手段において発電された電力を一時的に蓄電するバッテリを備え、上記制御手段は、上記バッテリの電圧に応じて上記照明手段の点灯時間を変化させるという構成を採用する。
このような構成を採用することによって、バッテリに十分な蓄電がなされている場合には長時間照明手段を点灯させ、バッテリに十分な蓄電がなされている場合には短時間照明手段を点灯させるといった、バッテリの蓄電状態に応じた照明手段の制御を行うことが可能となる。
【発明の効果】
【００１０】
本発明の発光装置によれば、照明手段が消灯されている場合には、蓄光塗料が塗布された発光板が発光することによって光が射出される。したがって、電力を消費することなく光が射出できる時間を作ることができ、独立型の発光装置における消費電力を低減させることが可能となる。
【発明を実施するための最良の形態】
【００１１】
以下、図面を参照して、本発明に係る発光装置の一実施形態について説明する。
【００１２】
（第１実施形態）
図１は、本実施形態の発光装置Ｓ１の構成を模式的に示した概略構成図である。また、図２は、本実施形態の発光装置Ｓ１の機能構成を示したブロック部である。これらの図に示すように、本実施形態の発光装置Ｓ１は、風力発電装置１（発電手段）、太陽光発電モジュール２（発電手段）、バッテリ３、表示部４及び制御装置６とを備えて構成されている。
【００１３】
風力発電装置１は、風力を利用して発電した電力をバッテリ３に供給するものであり、地面に対して垂直に立てられた支持ポール５の上部に配置されている。そして、風力発電装置１は、風力によって回転さえるプロペラ部１１（風車部）と、このプロペラ部１１の回転動力を電力に変換する発電機１２とを備えて構成されている。なお、発電機１２は、図２においてのみ示されているが、図１においては、風力発電装置１の本体１３の内部に収納配置されている。
【００１４】
太陽光発電モジュール２は、太陽光を利用して発電した電力をバッテリ３に供給するものであり、支持ポール５の途中部位に接続された固定部５１に固定されている。
バッテリ３は、風力発電装置１及び太陽光発電モジュール２から供給される電力を蓄えるとともに、表示部４に対して蓄えた電力を供給するものである。そして、バッテリ３は、本実施形態の発光装置Ｓ１においては、支持ポール５の下部に接続配置されている。
【００１５】
表示部４は、表示を行うためのものであり、支持ポール５の途中部位に接続された固定部５２に固定されている。図３は、表示部４の内部構成を示した模式図である。この図に示すように、表示部４は、照明装置４１、発光板４２及び表示板４３を備えて構成されている。
【００１６】
照明装置４１は、表示部４の筐体４４の内部に配置されており、バッテリ３から供給される電力を光に変換して射出するものである。この照明装置４１としては、例えば、蛍光灯やＬＥＤ等を用いることができる。また、照明装置４１の上部には、反射板４５が配置されており、照明装置４１から射出された光が効率良く表示板４３方向に射出されるように構成されている。
【００１７】
図３に示すように、発光板４２は、蓄光塗料が塗布された部材であり、照明装置４１から射出された光を受光するように筐体４４の内部に配置されている。なお、蓄光塗料とは、受光することによって受け取ったエネルギーを光として放出する蓄光体が含有された塗料である。なお、具体的には、蓄光体としては、硫化亜鉛に銅を結合させた物質やアルミン酸ストロンチウムに他の金属を結合させたもの等を挙げることができる。
また、発光板４２の表面４２１は散乱面として構成されている。
【００１８】
表示板４３は、照明装置４１から射出された光あるいは発光板４２から射出された光が照射されることによって表示を行うものであり、本実施形態の発光装置Ｓ１においては、透明部材であるアクリル板等に表示パターンが形成された透光性表示板が用いられている。そして、図３に示すように、表示板４３は、筐体４４の前面４４１に配置されている。
【００１９】
制御装置６は、図２に示すように、バッテリ３及び照明装置４１に接続されている。この制御装置６は、バッテリ３の電圧を計測するとともに、その計測結果に応じて照明装置４１の点灯・消灯を制御するものである。なお、図１において、バッテリ３は図示されていないが、例えば、バッテリ３の近傍に配置することができる。
【００２０】
次に、このように構成された本実施形態の発光装置Ｓ１の動作について説明する。
【００２１】
まず、風力が風力発電装置１のプロペラ部１１を動かすことによって風力発電装置１によって発電が行われ、太陽光が注がれることによって太陽光発電モジュール２において発電が行われる。
そして、風力発電装置１及び太陽光発電モジュール２において発電された電力は、バッテリ３に供給され、バッテリ３において一時的に蓄電される。
その後、バッテリ３に一時的に蓄電された電力は、照明装置４１に供給される。ここで、照明装置４１が制御装置６によって点灯状態とされている場合には、照明装置４１に供給された電力は光に変換されることによって消費される。このように照明装置４１において電力が光に変換されると、照明装置４１から射出された光は、一部が表示板４３を透過し、一部が発光板４２に塗布された蓄光塗料に蓄光される。なお、表示板４３においては、光が透過（照射）されることによって表示パターンが表示される。
【００２２】
一方、照明装置４１が制御装置６によって消灯状態とされている場合には、照明装置４１に供給された電力が光に変換されることはなく、消費されない。このように、照明装置４１が消灯状態にある場合には、発光板４２に塗布された蓄光塗料から光が射出され、この光が表示板４３を透過する。このため、照明装置４１が消灯状態にある場合であっても、光が表示板４３を透過して表示パターンが表示される。なお、発光板４２の表面４２１は散乱面とされているため、蓄光塗料から射出された光は散乱光として射出される。このため、表示板４３に照度分布が均一化された光が照射され、表示板４３において、より綺麗に表示パターンが表示される。
【００２３】
このような本実施形態の発光装置Ｓ１によれば、制御装置６によって照明装置４１が消灯状態の場合、すなわち電力を消費しない状態であっても、発光板４２の蓄光塗料から光が射出されているため、表示板４３において表示を行うことができる。したがって、電力を消費することなく光が射出できる時間を作ることができ、独立型の発光装置における消費電力を低減させることが可能となる。
【００２４】
また、本実施形態の発光装置Ｓ１においては、制御装置６がバッテリ３と接続されており、バッテリ３の電圧、すなわち蓄電量に応じて照明装置４１の点灯時間を制御している。例えば、定格１２Ｖのバッテリを１３．５Ｖ〜１１．５Ｖの範囲で使用する場合に、制御装置６は、バッテリ３の電圧が１２．５Ｖ以上の場合には単位時間あたり１００％を点灯時間とし、１２．５Ｖ〜１２Ｖの場合には単位時間あたり６０％を点灯時間とするとともに４０％を消灯時間とし、１２〜１１．５Ｖの場合には単位時間あたり３０％を点灯時間とするとともに７０％を消灯時間とする。このように、バッテリ３の電圧に応じて照明装置４１の点灯時間を制御することによって、電力消費を効率的に行うことが可能となる。
なお、照明装置４１として蛍光灯を用いる場合には、あまり頻繁に照明装置４１をつけたり消したりするとかえって消費電力が増大する可能性がある。このため、上述の単位時間をある程度長くとることによって、照明装置４１の消費電力を低減させることが可能となる。
【００２５】
（第２実施形態）
次に、本発明の第２実施形態について説明する。なお、本第２実施形態の説明において、上記第１実施形態と同様の部分については、その説明を省略あるいは簡略化する。
【００２６】
図４は、本実施形態の発光装置が備える表示部７の内部構造を示した模式図である。この表示部７は、上記第１実施形態の発光装置Ｓ１が備える表示部４の代わりに設置されるものである。そして、本実施形態の発光装置が備える表示部７は、面発光ＬＥＤ７１（照明手段）と蓄光塗料が塗布された透過性の発光板７２とを備えて構成されている。
【００２７】
面発光ＬＥＤ７１は、バッテリ３と直接接続されており風力発電装置１及び太陽光発電モジュール２において発電された電力を光に変換するものである。
また、発光板７２は、上述のように透光性を有しており、さらに蓄光塗料が塗布されている。
なお、これらの面発光ＬＥＤ７１及び発光板７２は筐体７４の内部に配置されている。
【００２８】
このような構成を有する本実施形態の発光装置においては、制御装置６によって面発光ＬＥＤ７１が点灯状態とされている場合には、透光性を有する発光板７２を光が透過して表示板７３を照射することによって表示パターンが表示される。そして、この際、発光板７２に塗布された蓄光塗料に蓄光される。その後、制御装置６によって面発光ＬＥＤ７１が消灯状態とされた場合には、蓄光塗料から射出された光が表示板７３を照射することによって表示パターンが表示される。よって、本実施形態の発光装置においても、上記第１実施形態の発光装置Ｓ１同様に、電力を消費することなく光が射出できる時間を作ることができ、独立型の発光装置における消費電力を低減させることが可能となる。
【００２９】
以上、添付図面を参照しながら本発明に係る発光装置の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００３０】
例えば、上記実施形態においては、プロペラ部１１を備える風力発電装置１が設置されている構成を採用した。しかしながら、本発明は、これに限定されるものではなく、プロペラ部１１の代わりに直線翼垂直軸型風車やサボニウス風車等を備える風力発電装置が設置されている構成を採用することも可能である。
【００３１】
また、上記実施形態においては、本発明の発電手段として、風力発電装置及び太陽光発電モジュールの両者を備える構成とした。しかしながら、本発明は、これに限定されるものではなく、例えば、風力発電装置のみを備える構成としても良い。
【図面の簡単な説明】
【００３２】
【図１】本発明の第１実施形態である発光装置の構成を模式的に示した概略構成図である。
【図２】本発明の第１実施形態である発光装置の機能構成を示したブロック図である。
【図３】本発明の第１実施形態である発光装置が備える表示部の内部構成を示した模式図である。
【図４】本発明の第２実施形態である発光装置が備える表示部の内部構成を示した模式図である。
【符号の説明】
【００３３】
Ｓ１……発光装置
１……風力発電装置
２……太陽光発電モジュール
３……バッテリ
４……表示部
４１……照明装置（照明手段）
４２……発光板
４３……表示板（表示手段）
５……支持ポール
６……制御装置
７……表示部
７１……面発光ＬＥＤ（照明手段）
７２……発光板
７３……表示板（表示手段）
【図１】
2006331946.tif 000003
【図２】
2006331946.tif 000004
【図３】
2006331946.tif 000005
【図４】
2006331946.tif 000006